(57)【特許請求の範囲】
【請求項１】
一方のバンドの端部と他方のバンドの端部の間に連結され、基部と、該基部に回動可能に連結される回動部とを備える折り畳み式の装身具の中留であって、
プッシュボタンを介して前記基部と前記回動部とを錠止し、かつ前記プッシュボタンの押圧により前記基部と前記回動部との錠止を解除する第１ロック装置と、前記回動部の上面に接近した閉止状態に位置できるように、前記基部と前記回動部のうち、いずれか一方に回動可能に設けられたロックカバーと、
該ロックカバーと前記プッシュボタンを互いに係合し、前記ロックカバーを閉止位置に保持する第２ロック装置と、
を備え、
前記第１ロック装置は、
前記基部と前記回動部のうち、いずれか一方に摺動可能に配置され、外方に突出する操作突起と内端に位置する係合部とを有する少なくとも一個の前記プッシュボタンと、
該プッシュボタンに隣接して配置され、該プッシュボタンの内端に接し、該プッシュボタンを外方に付勢する弾性手段と、
前記基部と前記回動部のうち、いずれか他方に配置され、前記弾性手段によって付勢されたプッシュボタンの係合部が係合する係合受容部と、
を含み、
前記第２ロック装置は、
前記プッシュボタンに形成され、前記弾性手段によって外方に突出する係合突起と、
前記ロックカバーに形成された係合孔と、
を含み、
前記第２ロック装置は、
前記プッシュボタンの係合突起と、前記ロックカバーに形成された係合孔とを弾性的に係合させる装身具の中留のロック装置。
【請求項２】
前記第２ロック装置における係合突起が、前記第１ロック装置における係合部を兼ねる請求項１による装身具の中留のロック装置。
【請求項３】
前記ロックカバーを開くと前記係合突起が押されて前記ロックカバーが解放されるように構成された請求項１による装身具の中留のロック装置。
【請求項４】
前記ロックカバーが回動可能に取り付けられるピンを備える下板を含み、前記ロックカバーを開く方向に付勢するトーションスプリングが、前記ピンに備えられ、前記トーションスプリングの一端が前記ロックカバーに、前記トーションスプリングの他端が前記下板に圧接する請求項１による装身具の中留のロック装置。
【請求項５】
前記プッシュボタンを内方に押圧すると、前記係合突起が前記係合孔より抜脱し、よって前記トーションスプリングの付勢によって前記ロックカバーが開く請求項４による装身具の中留のロック装置。
【請求項６】
横方向に相対して一対の前記プッシュボタンが設けられ、一方のプッシュボタンにのみ係合突起が設けられ、前記一方のプッシュボタンの押圧によってのみ、前記ロックカバーが解放されるように構成された請求項１による装身具の中留のロック装置。
【請求項７】
対向する一対の前記プッシュボタンが設けられ、一方のプッシュボタンにのみ係合突起が形成され、他方のプッシュボタンには前記一方のプッシュボタンの係合突起と同一方向に延びる係合板が設けられ、前記他方のプッシュボタンを前記弾性手段の付勢力に抗して押圧した時、前記他方のプッシュボタンの係合板が前記ロックカバーの係合孔に挿入して係合するように構成された請求項６による装身具の中留のロック装置。
【請求項８】
前記ロックカバーの解放時の前記プッシュボタンの移動量をＬ、前記プッシュボタンの係合部を前記係合受容部より解放する移動量をＭとしたとき、Ｌ＜Ｍである請求項１による装身具の中留のロック装置。
【請求項９】
前記一対のプッシュボタンが互いに異なる色調を有する請求項６による装身具の中留のロック装置。
【請求項１０】
対向する一対の前記プッシュボタンが設けられ、他方のプッシュボタンに当接して移動量Ｍを決定する突起が設けられている請求項８による装身具の中留のロック装置。
【請求項１１】
前記基部の両端それぞれに前記回動部が連結され、前記基部と前記回動部の一方の間に前記第１ロック装置が備えられ、前記基部と前記回動部の他方の間に前記第２ロック装置が備えられる請求項１による装身具中留のロック装置。
【請求項１２】
一方のバンドの端部に連結された表カバーと、該カバーに順次回動可能に連結された中板及び下板と、下板に連結された他方のバンドと、表カバーの対向する側壁間においてバンドの横方向に摺動可能に設けられ、その側壁より外方に突出する操作突起と内端部のフックとを有する少なくとも一個のプッシュボタンと、プッシュボタンを外方に付勢する弾性手段と、下板に突設され、弾性手段によって付勢されたプッシュボタンのフックが係合するロックピンと、を有する中留において、前記ロックピンが２本足を有し、該足が中留の下板の裏側に突出し、かしめられて下板に固定されることを特徴とする装身具の中留のロック装置。
【請求項１３】
下板にロックピンの足に接近して保護リブ及び補強用リブが突設され、足かしめ部が腕に当たらないようにした請求項１２による装身具の中留のロック装置。
【請求項１４】
請求項１、または１２のいずれかに記載の中留のロック装置を備えた腕時計。
【発明の詳細な説明】
【０００１】
【発明の属する技術分野】
本発明は、腕輪、腕時計、あるいはズボンのベルトなどに代表される装身具の中留のロック装置、特に二つ折れ中留、三つ折れ中留、あるいは観音開き中留と称する折り畳み式の中留の二重ロック装置に関するものである。
【０００２】
【従来の技術】
折り畳み式の中留は、基部と該基部に回動可能に連結される回動部とより構成され、基部に回動部が折り畳まれる。
例えば、三つ折れ中留は、互いに回動可能に連結された三枚の板、即ち、基部として下板、回動部として表カバーと中板を備えている。
実開平６−１９５２７号公報は、かかる三つ折れ中留のロック装置を開示している。その装置は、係合部を有し、表カバーの下側にバンド横方向に摺動可能に設けられた一対のプッシュボタンと、下板に突設されたロックピンとを有し、プッシュボタンの係合部がロックピンに係合することにより中留がロックされ、両プッシュボタンを同時に押すことによりそのロックが解除されるようになっている。
【０００３】
併しながら、そのプッシュボタンが異物により押され、不用意に中留が外れる虞れがある。そのような事故を防ぐ手段として、実用新案登録第３００１８９０号公報が三つ折れ中留の二重ロック装置を開示している。その装置は、下板に枢着されたロックカバーを有し、それが表カバーに取付けられたばね棒のピンに係合するようになっている。
【０００４】
【発明が解決しようとする課題】
このような装置では、ばね棒が特別に設けられているので、部品点数が増してコスト高になる。また、ばね棒を取付ける為のスペースが必要となり、中留を大型にし、また構造も複雑となる欠点を有する。
本発明は、上記のような問題を解決したロック装置を提供することを目的とする。
【０００５】
【課題を解決するための手段】
本発明によるロック装置は、プッシュボタンを介して基部と回動部とを錠止し、かつプッシュボタンの押圧により基部と回動部との錠止を解除する第１ロック装置と、回動部の上面に接近した閉止状態に位置できるように設けられたロックカバーとプッシュボタンを互いに係合し、ロックカバーを閉止位置に保持する第２ロック装置とを備えることを特徴とする。
かかる構成は、ロックカバーをプッシュボタンに係合させるため、従来のようにロックカバーを係合させるための部品を新たに増設する必要がない。よって、部品点数を削減することができるばかりか、中留を小型化することができる。
【０００６】
このロック装置では、前記第１ロック装置が、基部と回動部のうち、いずれか一方に摺動可能に配置され、外方に突出する操作突起と内端に位置する係合部とを有する少なくとも一個の前記プッシュボタンと、該プッシュボタンと隣接して配置され、該プッシュボタンを外方に付勢する弾性手段と、基部と回動部のうち、いずれか他方に配置され、弾性手段によって付勢されたプッシュボタンの係合部が係合する係合受容部とを含む。かかる構成により、弾性手段と協働して、ロックカバーとプッシュボタンとが弾性的に係合される。よって、第２ロック装置の錠止と解錠が円滑になり、操作性が高められる。
【０００７】
また、このロック装置では、第２ロック装置が、プッシュボタンに形成され、弾性手段によって外方に突出する係合突起と、ロックカバーに形成された係合孔とを弾性的に係合する係合手段を含む。かかる構成により、第１ロック装置におけるプッシュボタンの押圧操作を妨げることなく、ロックカバーとプッシュボタンとを確実に係合させることができる。
【０００８】
また、このロック装置では、第２ロック装置における係合突起が、第１ロック装置における係合部を兼ねる。かかる構成により、プッシュボタンの係合突起のみによって、第１ロック装置と第２ロック装置の錠止と解錠が可能になる。結果、プッシュボタンの構造が簡単になり、中留を小型にかつ安価に製造することができる。
【０００９】
また、このロック装置では、ロックカバーを開くと係合突起が押されてロックカバーが解放されるように構成されている。
【００１０】
また、このロック装置では、ロックカバーを開く方向に付勢するトーションスプリングを備え、錠止が外されると、ロックカバーが自動的に開く。よって、第２ロック装置の解錠操作が簡便になるばかりか、ロックカバーが不用意に回動し、意図に反してプッシュボタンと係合することがない。
【００１１】
また、このロック装置では、プッシュボタンを内方に押圧すると、係合突起が係合孔より抜脱し、よってトーションスプリングの付勢によってロックカバーが開くようになっている。よって、第２ロック装置の解錠操作が簡便になる。
【００１２】
プッシュボタンは横方向に相対して一対のプッシュボタンよりなり、一方のプッシュボタンにのみ係合突起が設けられ、その一方のプッシュボタンの押圧によってのみ、ロックカバーが解放されるように構成されてもよい。
かかる場合、対向する一対のプッシュボタンは、一方のプッシュボタンにのみ係合突起が形成され、他方のプッシュボタンには一方のプッシュボタンの係合突起と同一方向に延びる係合板が設けられ、他方のプッシュボタンを弾性手段の付勢力に抗して押圧した時、他方のプッシュボタンの係合板がロックカバーの係合孔に挿入して係合するように構成される。
すると、２つのプッシュボタンのうち、特定された一方を押圧しなければ、第２ロック装置が解錠されないため、第２ロック装置の安全性が高められる。
【００１３】
また、このロック装置では、ロックカバーの解放時のプッシュボタンの移動量をＬ、プッシュボタンのフックをロックピンより解放する移動量をＭとしたとき、Ｌ＜Ｍとなっている。かかる構成により、第２ロック装置を解錠に付随するプッシュボタンの移動によっては、第１ロック装置は決して解錠されないため、第１ロック装置の安全性が高められる。
【００１４】
一方のプッシュボタンの押圧によってのみ、ロックカバーが解放されるように構成したときは、一対のプッシュボタンが互いに異なる色調を有するようにしてもよい。
かかる構成により、一対のプッシュボタンのうち、第２ロック装置を解錠するためのプッシュボタンを色調で確認できるため、中留の操作性が向上する。
【００１５】
対向する一対のプッシュボタンにおいて、他方のプッシュボタンに当接して移動量Ｍを決定する突起を設ければ、プッシュボタンの移動量は、突起の突出する長さによって様々に設定される。
また、基部の両端それぞれに回動部を連結し、基部と回動部の一方の間に第１ロック装置を備え、基部と回動部の他方の間に第２ロック装置を備えれば、本発明は、観音開き中留にも適用される。
【００１６】
また、係合受容部であるロックピンは２本足を有し、その足が中留の下板の裏側に突出しかしめられて下板に固定される。
更に、下板にロックピンの足に接近して保護リブ及び補強用リブが突設され足かしめ部が腕に当たらないようにする。
【００１７】
【発明の実施の形態】
以下、装身具の１つである腕時計に対して本発明を実施した例を説明する。
〔第一の実施形態〕
図１は本発明の第一の実施形態の分解斜視図、図２は同側面図、図３はバンドの横方向に切断した断面図、図４は切断平面図である。
第一の実施形態は、三つ折れ中留であり、基部として下板、回動部として表カバーと中板を備える。かかる三つ折れ中留は、腕時計用の一方のバンド１と他方のバンド１２の間に連結される。
ただし、Ｃ型を成す腕輪の両端の間に本発明に係わる中留を連結すれば、一方のバンド１と他方のバンド１２は、同一の腕輪の両端部分である。一方のバンドと他方のバンドという表現は、必ずしも別個の部材を示すものではない。
【００１８】
図に示すように、一方のバンド１の端部に表カバー２の一端がばね棒３により回動可能に取付けられている。ばね棒３は、表カバー２の側壁４に形成された多数の取付孔５の一つを選ぶことにより、バンドの長さが調節できるようになっている。
【００１９】
表カバー２の先端には、中板６の一端がピン７により回動可能に連結され、中板の他端はピン８により下板１０の先端に回動可能に連結されている。また下板１０の基端は、ピン１１により他方のバンド１２の端部に取付けられた連結板１３にピン１４により回動可能に連結されて、環状のバンドが形成されている。
表カバー２の対向する側壁４には、第１ロック装置１５Ａのプッシュボタン１６が挿入される細長い開口１７が形成され、またそれに隣接して中板６との連結部側において第２ロック装置１５Ｂの開口１８が形成されている。
【００２０】
第１ロック装置１５Ａは、図１及び図４に示すように開口１７の外周に沿う断面形状を有するガイドハウジング２０と、ガイドハウジング２０内に摺動可能に挿入された一対のプッシュボタン１６と、プッシュボタン１６の間に設けられ、プッシュボタン１６を夫々外方に付勢する一対のスプリング１９を有する。
プッシュボタン１６は、点対称の形状を成す。各プッシュボタン１６は、開口１７より突出する操作突起２１と、開口１８より突出する係合突起２２を備える。そして、各プッシュボタン１６におけるガイドハウジング２０の内側に配置される内端に、係合部であるＬ形のフック２３が備えられる。さらに、各プッシュボタン１６の内端に寄せて、スプリング１９を受ける突起２４と段部２５が形成される。
また、下板１０には、係合受容部であるＴ形のロックピン２６が突設される。
図３に示すように、フック２３（係合部）は、下板１０に突設されたロックピン２６（係合受容部）の頂部両側の突出係合部２６ｂに係合するようになっている。一方、ガイドハウジング２０及び中板６にはロックピン２６が通る開口２７及び２８が形成されている。
【００２１】
第１ロック装置１５Ａを表カバー２に取付けるには、プッシュボタン１６を押し込んだ状態でガイドハウジング２０を側壁４内に押し込み、操作突起２１及び係合突起２２を開口１７及び開口１８より突出させればよい。この状態で、ガイドハウジング２０は側壁４で保持される。
本発明によれば、下板１０と連結板１３を連結するピン１１に第２ロック装置１５Ｂのロックカバー３０が回動可能に取付けられている。そして、ロックカバー３０の両側壁３１にはプッシュボタン１６の係合突起２２が係合する係合孔３２が形成されている。ロックカバー３０の上板３３は表カバー２の上面に当たるように構成され、当たった時に係合孔３２が係合突起２２に係合するようになっている。
【００２２】
更に図５に示すようにロックピン２６は下部の両側に突出する突起３４及び二本の足３５を有し、その足を下板１０の孔３６より下方に突出させ、図６に示すように、足３５をかしめることにより突起３４とで挟んで固定されるようになっている。また、図７に示すように、下板１０に形成された補強用リブ３７に対し、かしめ足３５を挟むように保護リブ３８が足３５より高く突設され、バンドを腕に装着した時、足３５による突出部が腕に当たるのを防いでいる。
【００２３】
時計を腕に装着するには、図２に示すように、第１、第２ロック装置１５Ａ、１５Ｂが解放された状態で、中留を開き、バンドを拡げて腕に嵌める。次に中留を折畳み、表カバー２を下板１０の方へ強く押すと、各プッシュボタン１６のフック２３の下面がロックピン２６の上部の斜面２６ａに圧接し、その傾斜によりプッシュボタン１６はスプリング１９に抗して外方に移動し、ロックピン２６の頂部を通過した時、プッシュボタン１６はスプリング１９により復帰し、図３、図４に示すようにフック２３がロックピン２６の係合部２６ｂに係合し、中留がロックされる。この状態で、第２ロック装置１５Ｂの係合突起２２は表カバー２の開口１８より少し突出している。
【００２４】
次に、第２ロック装置１５Ｂのロックカバー３０を表カバー２の方へ回動させると、側壁３１がプッシュボタン１６の係合突起２２に当たってプッシュボタン１６とスプリング１９に抗して押し込み、係合孔３２が突起２２に達すると、プッシュボタン１６はスプリング１９に押され、図３、図４に示すように突起２２が係合孔３２に係合し、表カバー２をロックし、中留の完全な錠止が行われる。図８はこの時の状態を示す側面図である。
上記の第１、第２ロック装置１５Ａ、１５Ｂにおいては、ロックカバー３０によってプッシュボタン１６が内方に押された時、図９に示すように、フック２３とロックピン２６の係合は維持されたままで、第１ロック装置１５Ａが解放されることはない。即ち、その時のプッシュボタン１６の移動量をＬとし（図９）、フック２３とロックピン２６の頂部との係合量をＭとすると（図１０）、Ｍ＞Ｌの関係になっている。
【００２５】
次に、ロックを解放するには、ロックカバー３０を使用者の親指の爪で持ち上げると（図１１）、係合突起２２が内方に押され、ロックカバー３０が解放される。この時のストロークがＬである。次に、図１０に示すように、プッシュボタン１６をストロークＭ押すことにより第１ロック装置１５Ａが解放され、表カバー２及び中板６を開くことができる。
プッシュボタン１６の突起２４及び段部２５はスプリング１９の伸縮の案内をし、またスプリング１９の蛇行を防止する役目をする。また突起２４はプッシュボタンが押された時、図１０に示すように、他方のプッシュボタン１６の端面に当たることにより、プッシュボタン１６のストロークＭを決定している。
【００２６】
〔第二の実施形態〕
図１２は本発明の第二の実施形態を示す切断平面図、図１３は切断側面図である。第一の実施形態と同一部分には同一符号を付して説明を省略する。
本形態では、トーションスプリング４０が下板１０と連結板１３との連結ピン１４に嵌められ、トーションスプリング４０の一端はロックカバー３０の側壁３１に形成された孔４１に係合し、他端は下板１０の上面に圧接し、ロックカバー３０を開く方向に付勢している。
従って、プッシュボタン１６を押して、係合突起２２をロックカバー３０の係合孔３２より離脱させると、ロックカバー３０はトーションスプリング４０により自動的に開く。
かくして、本実施形態においては、ロックカバー３０を開く操作が不要となり、操作が簡単となる。
【００２７】
〔第三の実施形態〕
図１４は、本発明の第三の実施形態を示す切断平面図である。本形態は第二の実施形態に改良を加えたものである。図示のように、一方のプッシュボタン１６ａには係合突起２２がなく、従って表カバー２の側壁４ａには開口１８は設けられず、またロックカバー３０の側壁３１ａにも係合孔３２が形成されていない。従って、一方のプッシュボタン１６ａだけを押しても、ロックカバー３０は開かない。他方のプッシュボタン１６ｂのみ押すか、両方のプッシュボタン１６ａ、１６ｂを押すことにより、係合突起２２ａが係合孔３２より離れ、ロックカバー３０がトーションスプリング４０により自動的に開く。
【００２８】
両方のプッシュボタン１６ａ、１６ｂを押す時、一方のプッシュボタン１６ａは無駄な動きをすることになるが、両方のプッシュボタン１６ａ、１６ｂを押す方が操作し易い、と言う利点がある。更に、一方のプッシュボタン１６ａのみが異物に当たって押された時でも、他方のプッシュボタン１６ｂの係合突起２２がロックカバー３０の係合孔３２より外れないので、錠止の安全性が高められている。
【００２９】
〔第四の実施形態〕
図１５は、本発明の第四の実施形態を示す切断平面図である。他方のプッシュボタン１６ｂは第三実施形態のものと同じであるが、一方のプッシュボタン１６ｃには係合突起２２が形成されていない。そして、フック２３と反対側に、内方に伸びる長い係合板４２が設けられている。一方、表カバー２の側壁４ｂの開口１８ａ、及びロックカバー３０の側壁３１ｂの係合孔３２ａは夫々係合板４２が入り得るように大きくなっている。更に、表カバー２の側壁４ａには開口１８は設けられておらず、またロックカバー３０の一方のプッシュボタン１６ｃ側の側壁３１ａにも、当然、係合孔３２は形成されていない。
【００３０】
以上のような構造であるから、図１６のように両方のプッシュボタン１６ｂ、１６ｃを押した場合、係合突起２２は係合孔３２から抜けるが、逆に、係合板４２が孔３２ａに入るので、ロックカバー３０は開かない。
一方、図１７に示すように、一方のプッシュボタン１６ｃのみを押した場合も、ロックカバー３０は開かない。
そして、図１８に示すように、他方のプッシュボタン１６ｂを押した時のみ、ロックカバー３０が開く。このように、ロックカバー３０が開いた状態で、図１９に示すように両方のプッシュボタン１６ｂ、１６ｃを押すとフック２３がロックピン２６により外れ、表カバー２を開くことができる。
【００３１】
従って、この実施形態では、一個のプッシュボタンを押した時のみロックカバー３０が開くので、安全性がより高められる。
尚、このような装置においては、両方のプッシュボタン１６ｂ、１６ｃを色分けし、例えば開く側である他方のプッシュボタン１６ｂを金色にし、一方のプッシュボタン１６ｃを黒にすれば、操作を間違えるのを防ぐことができる。
【００３２】
〔第五の実施形態〕
図２０は、本発明の第五の実施形態を示す断面図である。この実施形態では、他方のプッシュボタン１６ｂのみ設けられ、一方のプッシュボタンは存在しない。従って、表カバー２の側壁４ａには開口１７、１８は形成されておらず、また、ロックカバー３０の側壁３１ａには係合孔は設けられていない。また他方のプッシュボタン１６ｂと側壁４ａとの間には一枚の板ばね４３が設けられ、またロックピン２６は他方のプッシュボタン１６ｂの為だけの係合部２６ｂが片側にだけ設けられている。
【００３３】
〔第六の実施形態〕
図２１は、本発明の第六の実施形態を示す斜視図、図２２は要部切断平面図、図２３はガイドハウジングを下方より見た斜視図である。第一の実施形態と同一部分には同一符号を付して説明を省略する。
本形態は、図２１に示すように、三つ折れ中留であり、基部として下板１１０、回動部として表カバー２と中板１０６とを備える。
【００３４】
本発明による第１ロック装置１５Ａは、図２１から図２３に示すように、開口１７、１８の外周に沿う断面形状を有するガイドハウジング２０Ａと、該ガイドハウジング２０Ａ内に摺動可能に挿入された一対のプッシュボタン１６ｄと、該プッシュボタン１６ｄの間に設けられ、該プッシュボタン１６ｄをそれぞれ外方に付勢する弾性手段であるスプリング４４を有する。又、一対のプッシュボタン１６ｄは、左右対称の形状をしており、該プッシュボタン１６ｄは、開口１７より突出する操作突起２１と、開口１８より突出する係合突起２２と、スプリング４４を受ける段部４５を有する。
【００３５】
次に、下板１１０は、図２１に示すように係合受容部である一対の係合片１２６が突設され、該係合片１２６には、係合孔１２６ａが設けられている。そして、前記した係合部２２が係合するようになっている。一方、ガイドハウジング２０Ａの下面及び中板１０６には、それぞれ係合片１２６が通る一対の逃げ部４７、１２８がそれぞれ形成されている。
【００３６】
そして、第１ロック装置１５Ａを表カバー２に取付けるには、先ず一対のプッシュボタン１６ｄを押し込んだ状態で、ガイドハウジング２０Ａを一対の側壁４内に押し込み、操作突起２１及び係合突起２２を開口１７及び開口１８より突出させればよい。この状態で、ガイドハウジング２０Ａは一対の側壁４で保持される。
【００３７】
上記構成のロック装置を有する時計を腕に装着するには、第一の実施形態と同様に第１、第２ロック装置１５Ａ、１５Ｂが解放された状態で、中留を開き、バンドを拡げて腕に嵌める。次に係合突起２２の両端面２２Ａとガイドハウジング２０Ａの一対の逃げ部４７の両端面４７Ａとが平面視で一致するまで、各プッシュボタン１６ｄの操作突起２１をスプリング４４の弾性力に抗して内方へ強く押したまま、表カバー２と中板１０６及び下板１１０を完全に折り畳んだ状態で、各プッシュボタン１６ｄの操作突起２１を放すと該プッシュボタン１６ｄはスプリング４４の弾性反力により外方に移動し、同時に係合突起２２は、係合片１２６の係合孔１２６ａと表カバー２の開口１８に係合し、第１ロック装置１５Ａがロックされる。
【００３８】
次に、第一の実施形態と同様の構造を有する、第２ロック装置１５Ｂのロックカバー３０を表カバー２の方へ回動させると、側壁３１が係合突起２２に当たって、さらにスプリング４４に抗して押し込む。そして、係合孔３２が突起２２に達すると、プッシュボタン１６ｄはスプリング４４に押され、図２２に示すように突起２２が係合孔３２に係合し、表カバー２をロックし、中留の完全な錠止が行われる。
このように、プッシュボタン１６ｄの突起２２は、第１ロック装置における係合受容部（係合片１２６）と係合する係合部であると同時に、第２ロック装置における表カバー２の係合孔３２と係合する突起でもある。
かくして、本実施形態においては、ロックピンが不要となるばかりか、プッシュボタンの係合突起のみによって、第１ロック装置と第２ロック装置の錠止と解錠が可能になる。
【００３９】
〔第七の実施形態〕
図２４は本発明の第七の実施形態の斜視図、図２５は切断平面図、図２６は同側面図である。第一の実施形態と同一部分には同一符号を付して説明を省略する。
第七の実施形態は、皮革バンド用三つ折れ中留であり、基部として下板２１０、回動部として表カバー２と中板２０６を備える。
【００４０】
本実施形態が第一の実施形態と異なる点は、突く穴を有するところの材質が皮革よりなるバンド部材を使用する点にある。
図２４から図２６に示すように皮革バンド４８は、一端が表カバー２のばね棒３により回動可能に取付けられている。又、他端に剣先４８Ａと複数の突く穴４９を有している。下板２１０は、段状に形成した一端の両側に一対の側壁２１３Ａを下方に垂設し、ロックカバー３０を連結するピン１４とにより形成されるイ方向矢視で略口字状のバンド通し部２１３を形成している。又、下板２１０には、下面に突く穴４９と係止されるキノコ形状の突く棒５０が突設されている。そして、バンド４８は複数の突く穴４９の一つを選び、突く棒５０を突入係止することにより、バンド長さが調節できるようになっている。
【００４１】
さらに下板２１０は、係合受容部であるロックピン４６は傘部４６ａと軸部４６ｂよりなり、下板２１０の上面の適宜の位置に軸部４６ｂを圧入、かしめ又は溶接のいずれかの手段により突設されている。そして、下板２１０と中板２０６及び表カバー２と中板２０６との連結方法は、第一の実施形態と同様である。又、中板２０６にはロックピン４６が通る開口２２８が形成されている。
【００４２】
また、上記構成のロック装置を有する時計を腕に装着するには、第１、第２ロック装置１５Ａ、１５Ｂが解放された状態で、中留を開き、バンドを拡げて腕に嵌める。次に中留を折畳み、表カバー２を下板２１０の方へ強く押すと、ガイドハウジング２０内に摺動可能に挿入された一対のプッシュボタン１６ｅのフック２３の下面がロックピン４６の傘部４６ａに圧接し、その傾斜によりプッシュボタン１６ｅはスプリング１９の弾性力に抗して外方に移動し、傘部４６ａを通過した時、プッシュボタン１６ｅはスプリング１９の弾性反力により復帰し、フック２３が傘部４６ａの下面に係合し、中留がロックされる。
【００４３】
次に、第一の実施形態と同様に、第２ロック装置１５Ｂのロックカバー３０を表カバー２の方へ回動させることにより、係合孔３２が突起２２に係合し、表カバー２をロックし、中留の完全な錠止が行われる。
又、突く穴４９と突く棒５０の調節は、中留の錠止前に仮調節を行い、錠止後に突く穴４９の一つを選び、皮革バンド４８の位置調節を行った方がよい。
かくして、本実施形態の時計バンド中留のロック装置においては、皮革バンドにも適用可能となり、従ってデザインバリエーションの拡充が図れる。
【００４４】
〔第八の実施形態〕
図２７は本発明の第八の実施形態の斜視図、図２８は同中留をロックした状態の側面図である。第一の実施形態と同一部分には同一符号を付して説明を省略する。
第八の実施形態は、二つ折れ中留であり、基部として下板３１０、回動部として中板３０６を備える。又、本実施形態が第一の実施形態と異なる点は、表カバーが除かれる点にある。
【００４５】
図２７及び図２８に示すようにバンド１は、中板３０６の一端に、前記ガイドハウジング２０を上下が逆になるように設けたガイドハウジング２０Ｂを覆設するように段部３０６Ｂを形成し、該段部３０６Ｂの両端側に一対の側壁３０６Ａを立設して、ピン７により回動可能に連結されている。さらに中板３０６は、段部３０６Ｂの下面に、前記実施形態と同様に係合受容部であるロックピン４６が突設されている。そして、下板３１０と中板３０６との連結方法は、第一の実施形態と同様である。
【００４６】
次に、下板３１０の一端の両側に一対の側壁３１３Ａを立設し、バンド１２と第２ロック装置１５Ｂのロックカバー３０Ａとをピン１４により、回動可能に連結している。又、第１ロック装置１５Ａは、下板３１０の上面にガイドハウジング２０Ｂをネジ、溶接、ロー付け等の固定手段により設けられている。該ガイドハウジング２０Ｂは、上面にロックピン４６が通過する開口２７Ａとバンド短手方向の両側壁に開口１７、１８を一体に有している。又、ガイドハウジング２０Ｂの内部構造は、前記第七の実施形態と上下逆に設けた以外同様である。
【００４７】
上記構成のロック装置を有する時計を腕に装着するには、第１、第２ロック装置１５Ａ、１５Ｂが解放された状態で、中留を開き、バンドを拡げて腕に嵌める。次に中留を折畳み、中板３０６を下板３１０の方へ強く押すと、開口２７Ａを通過したロックピン４６の傘部４６ａが各プッシュボタン１６ｅのフック２３（図２６参照）の上面を圧接し、その傾斜によりプッシュボタン１６ｅはスプリング１９の弾性力に抗して外方に移動する。さらに、フック２３を通過した時、プッシュボタン１６ｅはスプリング１９の弾性反力により復帰し、傘部４６ａがフック２３の下面に係合し、中留がロックされる。
【００４８】
次に、第一の実施形態と同様に、第２ロック装置１５Ｂのロックカバー３０Ａを段部３０６Ｂの方へ回動させることにより、係合孔３２が突起２２に係合し、中板３０６をロックし、中留の完全な錠止が行われる。
かくして、本実施形態の時計バンド中留のロック装置においては、表カバー２を設けることなく、第一の実施形態と同様の効果を得られる。
【００４９】
〔第九の実施形態〕
図２９は本発明の第九の実施形態の斜視図、図３０は同中留をロックした状態の側面図である。第一及び第八の実施形態と同一部分には同一符号を付して説明を省略する。
第九の実施形態は、観音開き中留であり、基部として下板４１０、回動部として一方の中板４０６と他方の中板４０７とを備える。又、本実施形態は、第八の実施形態と同様、表カバー２が除かれる。
【００５０】
図２９及び図３０に示すようにバンド１は、一方の中板４０６の一端が連結部４０６Ａとピン７により回動可能に連結されている。又、後述するガイドハウジング２０Ｃを覆設するように段部４０６Ｂを形成し、さらに一方の中板４０６は、段部４０６Ｂの下面に係合受容部であるロックピン４６を突設している。又、下板４１０と一方の中板４０６との連結方法は、第一の実施形態と同様である。
【００５１】
次に、バンド１２は、他方の中板４０７の一端に連結部４０７Ａと、第２ロック装置１５Ｂのロックカバー３０とをピン１４により、回動可能に連結している。そして、下板４１０と他方の中板４０７とはピン８により回動可能に連結されている。又、第１ロック装置１５Ａは、略中央部に凹部４１２をそれぞれ凹設した一対の下板４１１、４１１よりなり、ガイドハウジング２０Ｃを前記実施形態と同様の固定手段により設けてある。さらに、ガイドハウジング２０Ｃは、上面にロックピン４６が通過する開口２７Ｂとバンド短手方向の両側壁に開口１７、１８を有している。又、ガイドハウジング２０Ｃの内部構造は、一対のプッシュボタン１６ｅの操作突起２１及び係合突起２２の位置が前記第一の実施形態と同様である以外、前記第八の実施形態と同様である。
【００５２】
上記構成のロック装置を有する時計を腕に装着するには、第１、第２ロック装置１５Ａ、１５Ｂが解放された状態で、中留を開き、バンドを拡げて腕に嵌める。次に中留を折畳み、一方の中板４０６を下板４１０の方へ強く押すと、前記第八の実施形態と同様の方法で中留がロックされ、収納部４１０Ａに一方の中板４０６が収納される。
【００５３】
そして、他方の中板４０７を収納部４１０Ｂに収納し、一端に設けられた第２ロック装置１５Ｂのロックカバー３０を段部４０６Ｂの方へ回動させることにより、係合孔３２が突起２２に係合し、中板４０６をロックし、中留の完全な錠止が行われる。
かくして、本実施形態の時計バンド中留のロック装置においては、表カバー２を設けることなく、第一の実施形態と同様の効果を観音開き中留にも得られることが可能となった。
【００５４】
【発明の効果】
以上で明らかなように、本発明によれば、中留に既存のプッシュボタンに係合突起を設け、之れに第２ロック装置のロックカバーの係合孔が係合するようにしたので、特別のピン及びスペースを必要とせず、構造が簡単で小型にでき、しかも低コストで製造することができる。
【図面の簡単な説明】
【図１】本発明の第一の実施形態の分解斜視図である。
【図２】同側面図である。
【図３】バンドの横方向に切断した断面図である。
【図４】切断平面図である。
【図５】ロックピンの固定方法を示す斜視図である。
【図６】ロックピンの固定状態を示す断面図である。
【図７】ロックピンの足に対する保護手段を示す側面図である。
【図８】ロックカバーの閉じた状態を示す側面図である。
【図９】作動を示す切断平面図である。
【図１０】作動を示す切断平面図である。
【図１１】ロックカバーの開いた状態を示す側面図である。
【図１２】本発明の第二の実施形態を示す切断平面図である。
【図１３】切断側面図である。
【図１４】本発明の第三の実施形態を示す切断平面図である。
【図１５】本発明の第四の実施形態を示す切断平面図である。
【図１６】作動を示す切断平面図である。
【図１７】作動を示す切断平面図である。
【図１８】作動を示す切断平面図である。
【図１９】作動を示す切断平面図である。
【図２０】本発明の第五の実施形態を示す断面図である。
【図２１】本発明の第六の実施形態の斜視図である。
【図２２】要部切断平面図である。
【図２３】ガイドハウジングを下方より見た斜視図である。
【図２４】本発明の第七の実施形態の斜視図である。
【図２５】切断平面図である。
【図２６】同側面図である。
【図２７】本発明の第八の実施形態の斜視図である。
【図２８】同中留をロックした状態の側面図である。
【図２９】本発明の第九の実施形態の斜視図である。
【図３０】同中留をロックした状態の側面図である。
【符号の説明】
１  バンド
２  表カバー
３  ばね棒
４、４ａ、４ｂ  側壁
５  取付孔
６、１０６、２０６、３０６  中板
７  ピン
８  ピン
１０、１１０、２１０、３１０、４１０  下板
１１  ピン
１２  バンド
１３  連結板
１４  ピン
１５Ａ  第１ロック装置
１５Ｂ  第２ロック装置
１６、１６ａ、１６ｂ、１６ｃ、１６ｄ、１６ｅ  プッシュボタン
１７  開口
１８、１８ａ  開口
１９  スプリング
２０、２０Ａ、２０Ｂ、２０Ｃ  ガイドハウジング
２１  操作突起
２２、２２ａ  係合突起
２２Ａ  端面
２３  フック
２４  突起
２５  段部
２６  ロックピン
２６ａ  斜面
２６ｂ  突出係合部
２７、２７Ａ、２７Ｂ  開口
２８、２２８  開口
３０、３０Ａ  ロックカバー
３１、３１ａ、３１ｂ  側壁
３２、３２ａ  係合孔
３３  上板
３４  突起
３５  足
３６  孔
３７  補強用リブ
３８  保護リブ
４０  トーションスプリング
４１  孔
４２  係合板
４３  板ばね
４４  スプリング
４５  段部
４６  ロックピン
４６ａ  傘部
４６ｂ  軸部
４７、１２８  逃げ部
４７Ａ  端面
４８  皮革バンド
４８Ａ  剣先
４９  突く穴
５０  突く棒
１２６  係合片
１２６ａ  係合孔
２１３  バンド通し部
２１３Ａ  側壁
３０６Ｂ  段部
３１３Ａ  側壁
４０６  一方の中板
４０６Ａ、４０７Ａ  連結部
４０６Ｂ  段部
４０７  他方の中板
４１０Ａ、４１０Ｂ  収納部
４１１  一対の下板
４１２  凹部
【図１】
0003939843.tif 000002
【図２】
0003939843.tif 000003
【図３】
0003939843.tif 000004
【図４】
0003939843.tif 000005
【図５】
0003939843.tif 000006
【図６】
0003939843.tif 000007
【図７】
0003939843.tif 000008
【図８】
0003939843.tif 000009
【図９】
0003939843.tif 000010
【図１０】
0003939843.tif 000011
【図１１】
0003939843.tif 000012
【図１２】
0003939843.tif 000013
【図１３】
0003939843.tif 000014
【図１４】
0003939843.tif 000015
【図１５】
0003939843.tif 000016
【図１６】
0003939843.tif 000017
【図１７】
0003939843.tif 000018
【図１８】
0003939843.tif 000019
【図１９】
0003939843.tif 000020
【図２０】
0003939843.tif 000021
【図２１】
0003939843.tif 000022
【図２２】
0003939843.tif 000023
【図２３】
0003939843.tif 000024
【図２４】
0003939843.tif 000025
【図２５】
0003939843.tif 000026
【図２６】
0003939843.tif 000027
【図２７】
0003939843.tif 000028
【図２８】
0003939843.tif 000029
【図２９】
0003939843.tif 000030
【図３０】
0003939843.tif 000031